(57)【特許請求の範囲】
【請求項１】
扉錠に対面する扉枠の凹部に固定され該凹部の内部空間を開口させる開口部を有した下面カバーと、
該下面カバーの開口部に固定され前記内部空間を外部へ連通させる窓部を有したストライクと、
該ストライクの前記窓部から一部分を突出させて前記下面カバーの内部空間に収容され、前記窓部からの突出面に、トロヨケを有するとともに、前記窓部から少なくとも後退する方向に可動自在に前記下面カバーに支持されるスライド箱と、
前記スライド箱の突出面の上部に、コイルバネを備えたガードアームピンによって回転自在に上部が取り付けられ、下部の長穴にデッドボルトが貫通するガードアームと、
を具備するとともに、
前記下面カバーの両側面には、それぞれ下面カバーの内部空間に突出するガイドピンが取り付けられ、
前記スライド箱には、突出・後退方向の長穴よりなるガイド穴が穿設されており、
各ガイド穴に前記ガイドピンが挿入されて、前記下面カバーに対して前記スライド箱がスライド自在とされ、
前記下面カバーと前記スライド箱との間に、該スライド箱を前記窓部から突出させる方向に付勢する付勢手段が介装されたことを特徴とするガードロック用受金具。
【発明の詳細な説明】
【０００１】
【発明の属する技術分野】
本発明は、扉枠に設けられて、扉錠から突出される錠杆（デッドボルト）と係合するガードロック用受金具に関し、さらに詳しくは、地震等により扉枠に変形が生じた場合であっても扉の開放が容易に行えるガードロック用受金具の改良に関する。
【０００２】
【従来の技術】
高層住宅などの玄関扉は、一般的に非構造壁に設けられることが多く、地震等の外力によってその壁自体に大きな変形が生じたり、亀裂が生じたりすると、扉枠をいかに強固にしても、その変形を防止することが困難となる。
そして、扉枠に、ある程度以上の変形が生じると、図６、図７に示す扉枠１に固定されたトロヨケ３，ストライク５と、扉７に設けられた扉錠の錠杆（デッドボルト１１ａ，ラッチボルト１１ｂ）とが圧接し、解錠が不能となり、災害時の非難ができなくなる虞れがあった。
【０００３】
このような問題を解消したものに例えば実公昭６０−２０７６号公報に開示されるドアの錠前装置がある。この錠前装置は、地震等により扉枠に変形が生じ、扉枠と扉とが圧接する方向の外力を受けた場合には、トロヨケとストライクとのカシメ部分が破壊され、この破壊時に外力が緩和されるとともに、破壊によって分離されるストライクの介在によって扉と扉枠との圧接が防止されて、解錠操作が容易かつ確実にできるようになっている。
【０００４】
【発明が解決しようとする課題】
ところで、近年、防犯性の向上を目的に、ワンドア・ツーロックの補助錠として、ガードアームロックが多用されるようになってきている。ガードアームロック機構では、通常、デッドボルトを２段階に突出させることで、本締錠として使用され、その位置から１段デッドボルトを引っ込ませることによって、ガードアームロック状態となる。
すなわち、ガードアームロック状態では、デッドボルトを１段突出させることにより、ストライクに沿って設けられた回転自在なガードアームに、デッドボルトが掛かり、このガードアームによって扉の開放が規制され、ドアチェーンを掛けたのと同じ状態となる。
従って、扉を少し開くことができ、来訪者を確認した後に扉を解錠することが可能になって、防犯性を高めることができる。
【０００５】
しかしながら、このガードアームロック機構では、トロヨケ以外の部分のストライク面に、ガードアームが回転自在に固定されている。従って、施錠時には、ストライクと、デッドボルトが突出する扉錠のフロント板との間に、ガードアームが介在した状態となる。
このため、上記した従来例のように、扉枠と扉とが圧接する方向に外力を受けた場合、トロヨケとストライクとのカシメ部分が破壊される構造であっても、扉錠のフロント板とストライクとの間でガードアームが圧接される可能性があり、扉の開放が困難となる虞れがあった。
また、上記の破壊により外力が緩和される錠前装置では、破壊後における再使用ができず、不経済であった。
【０００６】
本発明は上記状況に鑑みてなされたもので、扉枠に変形が生じた場合であっても、デッドボルトの作動及び扉の開放が規制されることがなく、しかも、繰り返しの使用が可能になるガードロック用受金具を提供することを目的とする。
【０００７】
【課題を解決するための手段】
次に、上記の課題を解決するための手段を、実施の形態に対応する図面を参照して説明する。
この発明の請求項１記載に係るガードロック用受金具８５は、扉錠２５に対面する扉枠２１の凹部４１に固定され該凹部４１の内部空間を開口させる開口部４９を有した下面カバー５１と、
該下面カバー５１の開口部４９に固定され前記内部空間を外部へ連通させる窓部５９を有したストライク５７と、
該ストライク５７の前記窓部５９から一部分を突出させて前記下面カバー５１の内部空間５１ａに収容され、前記窓部５９からの突出面６３に、トロヨケ６５を有するとともに、前記窓部５９から少なくとも後退する方向に可動自在に前記下面カバー５１に支持されるスライド箱６１と、
前記スライド箱６１の突出面６３の上部に、コイルバネ７１を備えたガードアームピン６９によって回転自在に上部が取り付けられ、下部の長穴７５にデッドボルト３５が貫通するガードアーム６７と、
を具備するとともに、
前記下面カバー５１の両側面には、それぞれ下面カバー５１の内部空間５１ａに突出するガイドピン８１が取り付けられ、
前記スライド箱６１には、突出・後退方向の長穴よりなるガイド穴８３が穿設されており、
各ガイド穴８３に前記ガイドピン８１が挿入されて、前記下面カバー５１に対して前記スライド箱６１が前記窓部５９に対して突出及び後退する方向にスライド自在とされ、
前記下面カバー５１と前記スライド箱６１との間に、該スライド箱６１を前記窓部５９から突出させる方向に付勢する付勢手段（板バネ）７７が介装されたことを特徴とする。
【０００８】
このガードロック用受金具８５では、扉錠２５に対面する扉枠２１の凹部４１に、内部空間５１ａを有する下面カバー５１が設けられ、この下面カバー５１の開口部４９に、窓部５９を有したストライク５７が設けられる。そして、ストライク５７の窓部５９から一部分を突出させ、この突出面６３に、トロヨケ６５、ガードアーム６７を有するスライド箱６１が、窓部５９から少なくとも後退自在に支持された構造となっている。
従って、扉枠２１に変形が生じ、扉枠２１と扉２３とが圧接する方向に外力を受けた場合であっても、スライド箱６１が窓部５９から後退する方向に可動され、デッドボルト３５の作動に規制の生じることがない。そして、ストライク５７と扉錠２５のフロント板２９との間でガードアーム６７が圧接することによる扉開放時の規制が防止される。
また、スライド箱６１が可動自在な構造で、下面カバー５１に支持されるので、繰り返しの使用が可能になり、経済性が向上する。
【０００９】
さらに、スライド箱６１の突出面６３に、ガードアーム６７の上部がガードアームピン６９によって回転自在に取り付けられており、このガードアームピン６９は、コイルバネ７１を備えていることから、このコイルバネ７１の付勢力により、スライド箱６１の突出面６３に接する方向に引き寄せられ、ガタツキが生じないようにして回転自在となっている。また、このガードアーム６７の長穴７５を貫通して、扉錠２５から突出するデッドボルト３５がトロヨケ６５内に進入する。
【００１０】
また、このガードロック用受金具８５では、スライド箱６１が、付勢手段７７によって付勢され、ガイド穴８３にガイドピン８１が挿入されており、通常時には、ストライク５７の窓部５９から突出する方向に配置され、ガタツキが生じない。なお、ガイド穴８３とガイドピン８１によりスライド箱６１は下面カバー５１に支持されてストライク５７からの飛び出しが防止されている。扉枠２１に変形が生じ、扉枠２１と扉２３とが圧接する方向に外力が作用すると、スライド箱６１が、扉錠２５のフロント板２９などによって押圧され、付勢手段７７の付勢力に抗して下面カバー５１の内部空間５１ａに後退される。このスライド箱６１の後退によって外力が吸収されて、ガードアーム６７に圧接力が作用しなくなり、ガードアーム６７の圧接に起因する扉開放時の規制が生じなくなる。
【００１１】
【発明の実施の形態】
以下、本発明に係るガードロック用受金具の好適な実施の形態を図面を参照して詳細に説明する。
図１は本発明に係るガードロック用受金具の分解斜視図、図２は本発明に係るガードロック用受金具の下面カバーを断面にした側面図、図３はスライド箱の斜視図、図４は扉錠の斜視図、図５は本発明に係るガードロック用受金具におけるガードアーム回転時の正面図である。
【００１２】
図１に示す扉枠２１には、図４に示す扉２３が開閉自在に設けられている。
扉２３の開放側の木口部には、図４に示す扉錠２５が設けられている。扉錠２５は、錠箱２７が扉２３に内蔵され、フロント板２９が扉２３の木口面３１に露出される。錠箱２７の室内側の面には回転操作されるサムターン３３が設けられている。
扉錠２５は、例えばサムターン３３が４５°回転されることにより、デッドボルト３５がフロント板２９から１段階突出され、さらに４５°回転されることにより、２段階突出されるようになっている。
【００１３】
デッドボルト３５は、１段階突出されることで、後述のガードアームに掛かり、２段階突出されることで、後述のトロヨケ内に掛かって、本締錠として機能するようになっている。
この実施の形態で説明する扉錠２５は、図４に示すようにデッドボルト３５が１段階の突出状態で、デッドボルト３５の側部に突設された係合ピン３７が、錠箱２７のガイド溝３９に沿って上下方向に移動可能となっている。これにより、デッドボルト３５がガードアームに掛かった際の扉２３の開放角度が所定量大きくなるようになっている。
【００１４】
この扉錠２５のフロント板２９に対面する扉枠２１には、図１に示す凹部４１が形成されている。
この凹部４１内には、略コ字形に板金加工された裏板４３が取り付けられる。裏板４３は、木口面３１に平行な座板部４５，４５が上下に形成され、図２に示すように、この座板部４５，４５がビス４７によって扉枠２１に固定され取り付けられる。
【００１５】
この凹部４１に固定された裏板４３には、凹部４１の内部空間を開口させる開口部４９を有した下面カバー５１が取り付けられる。下面カバー５１には、裏板４３の座板部４５，４５に平行な挟着板５３，５３が上下に延出形成され、これら挟着板５３，５３にはビス挿通穴５５，５５がそれぞれ穿設されている。
【００１６】
この下面カバー５１の開口部４９には、ストライク５７が取り付けられる。
ストライク５７は、凹部４１の内部空間、すなわち、下面カバー５１の内部空間５１ａを外部へ連通する窓部５９を有している。
従って、下面カバー５１の内部空間５１ａは、ストライク５７の窓部５９を介して外部へ開口されている。
【００１７】
下面カバー５１の内部空間５１ａにはスライド箱６１が設けられ、スライド箱６１はストライク５７の窓部５９から一部分を突出させている。スライド箱６１は、窓部５９からの突出面６３に、トロヨケ６５を有している。トロヨケ６５は、例えばスライド箱６１と別体に形成されたものを、スライド箱６１に形成した切欠部６４に、スポット溶接などにより一体に取り付けられる。
【００１８】
また、スライド箱６１の突出面６３には、ガードアーム６７の上部がガードアームピン６９によって回転自在に取り付けられている。
このガードアームピン６９は、ガードアーム６７の表面側から挿通され、スライド箱６１の裏面へ突出した先端部に、コイルバネ７１，ワッシャー７３，Ｅリング７４が順次取り付けられる。
ガードアーム６７は、コイルバネ７１の付勢力により、スライド箱６１の突出面６３に接する方向に引き寄せられ、ガタツキが生じないようにして回転自在に取り付けられる。
【００１９】
スライド箱６１と、ガードアーム６７との上下方向の長さは、ほぼ同等となっている。
従って、上部がガードアームピン６９によってスライド箱６１に支持されたガードアーム６７は、スライド箱６１に沿って配置されることで、自由端となる下部に穿設された長穴７５がトロヨケ６５に一致するようになっている。この状態で、閉鎖された扉２３の扉錠２５からデッドボルト３５が２段階突出されると、デッドボルト３５は、ガードアーム６７の長穴７５を貫通して、トロヨケ６５内に進入する。つまり、本締錠の状態となる。
【００２０】
この本締錠の状態から、デッドボルト３５は、サムターン３３の操作により１段階引っ込むと、トロヨケ６５から退出し、先端の括れ部３５ａが長穴７５に掛かった状態となり、かつストライク５７の切欠部５７ａを介して扉枠２１から離脱可能となる。
【００２１】
これにより、ガードアーム６７は、扉２３の開放に伴って、図５に示すように、長穴７５にデッドボルト３５の括れ部３５ａが引っ掛かった状態で回転を始め、扉２３が少しだけ開放可能になる。なお、この際におけるデッドボルト３５の上下移動量Ｈが、図４に示したガイド溝３９内における係合ピン３７の移動量となる。
【００２２】
下面カバー５１とスライド箱６１との間には、スライド箱６１を窓部５９から突出させる方向に付勢する付勢手段としての板バネ７７が介装されている。
これにより、スライド箱６１は、板バネ７７によって付勢され、通常時には、ストライク５７の窓部５９から突出する方向に配置され、ガタツキが生じないようになっている。
【００２３】
下面カバー５１の両側面には上下一対のネジ穴７９が合計４つ形成されている。
これらネジ穴７９には、下面カバー５１の内部空間５１ａに突出する図２に示すガイドピン８１がそれぞれ螺着される。
【００２４】
一方、スライド箱６１の両側面には、このガイドピン８１の挿入される合計４つのガイド穴８３が穿設され、このガイド穴８３はスライド箱６１の突出・後退方向の長穴となっている。
つまり、スライド箱６１は、ガイド穴８３にガイドピン８１が挿入されることで、窓部５９に対して突出及び後退する方向にスライドするように可動自在に下面カバー５１に支持され、かつストライク５７からの飛び出しが防止されている。
【００２５】
上記した各構成部材からなるガードロック用受金具８５は、トロヨケ６５が固定されたスライド箱６１に、ガードアーム６７がガードアームピン６９によって回転自在に取り付けられる。
【００２６】
ガードアーム６７の取り付けられたスライド箱６１は、下面カバー５１との間に、板バネ７７が挟入され、下面カバー５１の内部空間５１ａに挿入される。
そして、下面カバー５１の両側面からガイドピン８１が挿入され、スライド箱６１は、ガイド穴８３にガイドピン８１を係合させて、下面カバー５１に取り付けられる。
【００２７】
スライド箱６１の取り付けられた下面カバー５１は、凹部４１に予め固定した裏板４３の内方に収容され、その上に、ストライク５７が被せられる。
下面カバー５１とスライド箱６１は、ストライク５７の表面から螺合される図２に示す固定ビス８７が裏板４３の座板部４５，４５に螺着されることで、扉枠２１側へ共締め固定される。
【００２８】
また、スライド箱６１には図３に示すドライバ挿入穴８９が穿設され、このドライバ挿入穴８９を介して下面カバー５１が図２に示すビス９１によって裏板４３に固定されるようになっている。
さらに、スライド箱６１の下面には上下二対の凸板９３が形成され、上下の凸板９３はその間に板バネ７７を配置して、板バネ７７の位置ズレを防止している。
【００２９】
次に、このように構成されるガードロック用受金具８５の作用を説明する。
このガードロック用受金具８５では、扉錠２５に対面する扉枠２１の凹部４１に、内部空間５１ａを有する下面カバー５１が設けられ、この下面カバー５１の開口部４９に、窓部５９を有したストライク５７が設けられる。
そして、ストライク５７の窓部５９から一部分を突出させ、この突出面６３に、トロヨケ６５，ガードアーム６７を有するスライド箱６１が、窓部５９から後退自在となって支持されている。
【００３０】
従って、扉枠２１に変形が生じ、扉枠２１と扉２３とが圧接する方向の外力が作用すると、スライド箱６１が、扉錠２５のフロント板２９によって押圧され、付勢手段である板バネ７７の付勢力に抗して下面カバー５１の内部空間５１ａに後退される。
【００３１】
このスライド箱６１の後退によって外力が吸収され、デッドボルト３５の作動に規制の生じることがなくなる。
そして、スライド箱６１が内部空間５１ａに後退されることで、ガードアーム６７に圧接力が作用しなくなり、ガードアーム６７の圧接に起因する扉開放時の規制が生じなくなる。
また、スライド箱６１が可動自在な構造で、下面カバー５１に支持される構造であるので、破壊されてしまうことがなく、繰り返しの使用が可能になり、経済性が向上することになる。
【００３２】
【発明の効果】
以上詳細に説明したように、本発明に係るガードロック用受金具によれば、扉錠に対面する扉枠の凹部に、内部空間を有する下面カバーを設け、この下面カバーの開口部に、窓部を有したストライクを設け、ストライクの窓部から一部分を突出させたスライド箱の突出面にトロヨケ，ガードアームを設け、かつこのスライド箱を窓部から少なくとも後退する方向に可動自在としたので、扉枠に変形が生じた場合であっても、スライド箱が窓部から後退する方向に可動し、デッドボルトの作動に規制が生じず、また、ストライクと扉錠のフロント板との間でガードアームが圧接されることによる扉開放時の規制を防止することができる。
その上、スライド箱が可動自在に支持されるので、破壊されることがなく、繰り返しの使用ができ、経済性を向上させることができる。
【００３３】
また、このガードロック用受金具では、スライド箱の突出面に、ガードアームの上部がガードアームピンによって回転自在に取り付けられており、このガードアームピンは、コイルバネを備えていることから、このコイルバネの付勢力により、スライド箱の突出面に接する方向に引き寄せられ、ガタツキが生じないようにして回転自在となっている。そして、このガードアームの長穴を貫通して、扉錠から突出するデッドボルトがトロヨケ内に進入する。
さらに、下面カバーとスライド箱との間に、スライド箱を窓部から突出させる方向に付勢する付勢手段を介装したので、スライド箱は、付勢手段によって付勢されることとなり、通常時には、ストライクの窓部から突出する方向に配置され、ガタツキが生じない。また、ガイド穴とガイドピンによりスライド箱は下面カバーに支持されてストライクからの飛び出しが防止される。そして、扉枠に変形が生じ、扉枠と扉とが圧接する方向に外力が作用すると、スライド箱が、扉錠のフロント板などによって押圧され、付勢手段の付勢力に抗して下面カバーの内部空間に後退される。このスライド箱の後退によって外力が吸収されて、ガードアームに圧接力が作用しなくなり、ガードアームの圧接に起因する扉開放時の規制が生じなくなる。
【図面の簡単な説明】
【図１】本発明に係るガードロック用受金具の分解斜視図である。
【図２】本発明に係るガードロック用受金具の下面カバーを断面にした側面図である。
【図３】スライド箱の斜視図である。
【図４】扉錠の斜視図である。
【図５】本発明に係るガードロック用受金具におけるガードアーム回転時の正面図である。
【図６】従来の扉錠用受金具の分解斜視図である。
【図７】従来の扉錠用受金具に対する錠杆の係合前・係合後を（ａ）（ｂ）で示した説明図である。
【符号の説明】
２１…扉枠
２５…扉錠
４１…凹部
４９…開口部
５１…下面カバー
５１ａ…内部空間
５７…ストライク
５９…窓部
６１…スライド箱
６３…突出面
６５…トロヨケ
６７…ガードアーム
７７…付勢手段（板バネ）
８５…ガードロック用受金具
【図１】
0004138218.tif 000002
【図２】
0004138218.tif 000003
【図３】
0004138218.tif 000004
【図４】
0004138218.tif 000005
【図５】
0004138218.tif 000006
【図６】
0004138218.tif 000007
【図７】
0004138218.tif 000008